(57)【特許請求の範囲】
【請求項１】
両端にフック状部を形成した１本の針金材を折り曲げることにより形成する靴干しハンガーであって、
前記両端のフック上部が重なる方向に前記針金材の中央部をＵ字状に折り曲げてＵ字状部を形成し、折り曲げられた前記針金材のＵ字状部とフック状部との略中央部を前記Ｕ字状部の中心軸に対してＶ字状に折り曲げてＶ字状部を形成し、更に前記Ｕ字状部を前記Ｖ字状部の外側に向けて折り返すようにして形成し、靴を裏返しにして前記Ｖ字状部の間に挟み、前記Ｕ字状部で前記靴の踵側を受け、前記両端のフック状部により前記靴を吊るすようにした靴干しハンガー。
【発明の詳細な説明】
【技術分野】
【０００１】  本発明は靴干しハンガーに関する。
【背景技術】
【０００２】  靴を干す場合の第一条件としてどなたにでも簡単に扱えることと、つま先より踵部を低くした水切り角度で吊るせることにある。
従来の製品の多くは１点での吊り下げ式のものが多く風邪のある時は揺れて不安定であり、また性能としては優れているが大型で高価と思われる製品やお年寄りには躊躇してしまいそうな組み立て式のもの、またプラスチック製品が開示されている。
【発明の概要】
【発明が解決しようとする課題】
【０００３】  近年健康に重視する傾向にあり、スニーカーを履いて散歩している人を多く見かけるようになったにもかかわらず、靴を干してある家庭をほとんど見かけません。
そこで本発明の目的はどなたにでも、洗濯物を干すように簡単に干すことができ、軽量でコンパクトながら安定した保持力を発揮できる靴干しハンガーを提供することにある。
更には安価でありながらプラスチックのように２，３年で劣化せず長年にわたって利用していただける靴干しハンガーを提供することにある。【０００４】  本発明の他の目的は、多目的利用を考慮して、不使用時には、長押にかけて帽子掛けや、普段着掛けなどに使って頂くと共に、コンパクトなのでアウトドアに携帯して頂き、木の枝を利用して乾燥できる多目的靴干しハンガーを提供することにある。
【課題を解決するための手段】
【０００５】上記目的は、両端にフック状部を形成した１本の針金材を折り曲げることにより形成する靴干しハンガーであって、
前記両端のフック上部が重なる方向に前記針金材の中央部をＵ字状に折り曲げてＵ字状部を形成し、折り曲げられた前記針金材のＵ字状部とフック状部との略中央部を前記Ｕ字状部の中心軸に対してＶ字状に折り曲げてＶ字状部を形成し、更に前記Ｕ字状部を前記Ｖ字状部の外側に向けて折り返すようにして形成し、靴を裏返しにして前記Ｖ字状部の間に挟み、前記Ｕ字状部で前記靴の踵側を受け、前記両端のフック状部により前記靴を吊るすようにした靴干しハンガーで達成される。
【発明の効果】
【０００９】  本発明は１点での吊り下げ式が多いのに対し、２本のＶ型をしたフック付き吊り具で、靴を挟み込み、なおかつ踵受けを付けたことにより風に対しても安定性を増し、水切り角度を調節出来ると共に、多少変形しても使用上何ら問題なく、大きく変形してもご自分で修正できる利点がある。
又、吊り具と、踵受け支持具の曲げ角度を変えることで、色々なサイズの靴に利用でき、踵受け支持具と、踵受け具の曲げ角度を変えることで、水切れ角度を調節できる。
それに加えプラスチックのように劣化して折れることなくステンレスを使用したことにより錆びることなく半永久的に使用していただける靴干しハンガー。
【図面の簡単な説明】
【００１０】
【図１】  本発明に係る靴干しハンガー本体図。
【図２】  本発明に係る靴干しハンガーに、セット時点での斜視図。
【図３】  本発明に係る靴干しハンガーで吊り下げ完成側面図。
【図４】  本発明に係る靴干しハンガーで吊り下げ完成正面図。
【図５】  本発明に係る靴干しハンガーで吊り下げ完成斜視図。
【図６】  本発明に係る靴干しハンガーの参考写真
【発明を実施するための形態】
【００１１】  本発明の形態を図面に基づき更に詳細に説明する。
図１は本発明に係る靴干しハンガーの、
形成状態を詳細に示す本体斜視図で、不使用状態の図である。
更に詳しくは２個のフックを有し、
前記２個のフックからそれぞれ棒状の吊り具が下方に伸びており、
２個の吊り具の下側が狭い間隔で、Ｖ字型になっており上側が広い間隔になっている。
又、吊り具の下場は、
上方に折り返されて、踵受け支持具が連続しており、
踵受け支持具の上端は、外側に湾曲した踵受け部が設けられている。
【００１２】  前記吊り具には
切り口によるケガ防止と、滑りとめを兼ねて、
フック先端から、靴に接する部分まで耐候性ゴムを被覆している。
【００１３】  ２図は想像線で示すスニーカーをセットする状態で、
竿に掛ける前の状態を示している。
前記２個の吊り具の間に靴を入れた時に、靴裏と、フック先端との間隔Ａが、
少なくとも竿に掛けることができるだけの空間が必要であることを、示しており、
靴の形状によっては、
踵部よりつま先下がりにセットし、前記空間を確保する必要がありうる場合もある。
【００１４】  ３図は、２図の空間Ａを利用して竿に掛けた状態を、
想像線で示した側面図であり、つま先側の靴裏と竿が接触するようにセットすることで、摩擦力が増加して、風にも安定した保持力を発揮する。
また、つま先側が上がることにより、
踵側が下がり、結果、水切り勾配がよくなることを示している。
【００１５】  ４図では想像線で示すスニーカーをセットした状態の正面図であり、
前記２個の吊り具で靴を挟み込んでいる。
なお２個の吊り具はＶ字型になっていることが望ましく、固定力が発揮される事を示している。
前記２個の吊り具で靴を挟み込むだけではずれ落ちてしまうため、
踵受け部で踵を受け止め、安定した状態にあることを示している。
【００１６】  ５図では２図から、４図迄の想像線で示した図面を、より明確にするための使用状態を示す斜視図であり、
特に２図のセット状態から、セット完了状態を示している。
又、本発明の課題とした、
２個の吊り具でしっかりと靴を挟み込み、踵受け部で踵を受け止めて水切り角度を確保している。
更に固定力の点では１つ目は靴のつま先側を吊り具で両側から挟み込み、２つ目は靴裏が竿と接していること、３つ目は踵受けで踵を受け止めている。
つまり３点で靴を固定していることによって、風にも強い安定力を発揮している事を示している。
【００１７】  又、Ｂの角度を変えることでサイズの違う靴に適応でき、Ｃの角度を変えることで、水切り角度を変えることができる事を示している。
【００１８】  使用していただく際は、ここに付すまでもないと思うが、
靴裏が手前側で、表側が陽射し側になるように干して頂くことが最善である。
【００１９】  図６には、本発明に関する４図に基づき実施した状態を、
なお明確にするために、正面より写し、証明したものであり、２個のＶ型吊り具でしっかりと靴を挟み込んで、吊り具の下端が折り返され、踵受け部で踵を受け止めている事を証明している。
【００２０】  ６図には、本発明に関する５図に基づき実施した状態を、
なお明確にするために、写真により証明したものであり、吊り具だけではずり落ちてしまうため、踵受け部で受け止めると共に、水切り角度を調整している事を証明している。
【符号の説明】
【００２１】１，  図１より図５まで、Ｖ型をしたフック付き吊り具を示す。
２，  図１より図５まで、滑りとめ用耐候性ゴムを示す。
３，  図１より図５まで、吊り具だけではずり落ちてしまうため、踵を受け止めるための    、踵受け支持具を示す。
４．  図１より図５まで、固定力増強と水切り角度を確保するための踵受け部を示す。
Ａ，  図２に記載しており、フック先端と靴裏との間が竿に掛けるために必要な、間隔を    示す。
Ｂ，  図３、図５に記載しており、フック付き吊り具と踵受け支持具との曲げ角度を示し    ており、曲げ角度を変えることで色々なサイズに対応出来る。
Ｃ，３図、５図に記載しており、踵受け支持具と踵受け部の曲げ角度を示しており、曲げ    角度を変えることで水切り角度を調節できる。
【要約】      （修正有）【課題】２個の釣具で靴の先端部分を挟み込んで、踵受け具で踵を受け止め、風にも安定した保持力を発揮し、部材の太さと寸法を変えることで、長靴等にも利用可能であり、不使用時は長押にかけて帽子掛けや、普段着掛けに利用出来るコンパクトな靴干しハンガーを提供する。【解決手段】フック付き吊り具１と１で両サイドより靴を挟み込みこんで、釣り具の下端は踵受け支持具に連続しており、踵受け支持具の先には踵受け具が付いている。踵受け具で踵を受ける事により、安定した保持力と水切りのよい勾配を調節できるようにしている。更に靴裏が竿に接しているように設定することで保持力が増強される。材質としては鉄、アルミ、胴、メッキされたもの、被覆されたもの、プラスチック、ステンレス等多々あるが、長期に使用でき、適当に弾力性のあるステンレス線を使用した。【選択図】図５【図１】
0005457569.tif 000002
【図２】
0005457569.tif 000003
【図３】
0005457569.tif 000004
【図４】
0005457569.tif 000005
【図５】
0005457569.tif 000006
【図６】
0005457569.tif 000007